(57)【要約】【課題】本発明は、運転者の呼気中に含まれるアルコール成分を検出するアルコール検出装置に関し、車室内に設置するスペースを節約しつつ、高精度にアルコールを検出することができるアルコール検出装置を提供することを目的とする。【解決手段】アルコール検出センサ１７を備えたロッド１０と、アルコール検出装置の作動を制御するコントローラ８と、警告時に音声を出力するスピーカー９とを備えたアルコール検出装置を車室天井部に設置したオーバーヘッドコンソール１内に組込むことで、車室内にアルコール検出装置を設置するスペースを節約することができ、またアルコールのチェックを行う際には、ロッド１０を車室天井側から下方に向けて下降させることで、運転者の口元付近で確実なアルコールのチェックを行うことができる。【選択図】図３
2008285053.tif 000002
【特許請求の範囲】
【請求項１】
呼気中に含まれるアルコール成分を検出するアルコール検出手段と、前記アルコール検出手段の出力信号に基づいてエンジン始動の制御を行う制御手段と、前記アルコール検出手段がアルコール成分を検出した際に、音声または表示手段により車両の運転者に警告をする警報手段とを有するアルコール検出装置であって、
前記アルコール検出装置が、サングラス等を収納する収納部を備えるオーバーヘッドコンソールに組み込まれ、
運転者が車両に乗り込みシートに着座した際、前記アルコール検出手段が前記オーバーヘッドコンソールから運転者の口元付近に下降することを特徴とするアルコール検出装置。
【請求項２】
シートには、前後方向のスライド位置を検出するシート位置検出手段が備えられており、
前記シート位置検出手段の検出結果に基づいて運転者の体格を判定し、判定された運転者の体格に応じて、前記アルコール検出手段の下降量を調整できることを特徴とする請求項１に記載のアルコール検出装置。
【請求項３】
前記オーバーヘッドコンソールの下面部の裏側にモーターを配設し、前記モーターと回転自在に連結された連結部を有するロッドが設けられ、
前記ロッドの端部には前記アルコール検出手段を備え、前記モーターの駆動により前記ロッドの端部が、連結部を回転中心として天井側から下方に向けて回転し、前記アルコール検出手段が運転者の口元付近に下降できることを特徴とする請求項２に記載のアルコール検出装置。
【発明の詳細な説明】
【技術分野】
【０００１】
本発明は、自動車の運転者の呼気中に含まれるアルコール成分を検出することで飲酒状態であるか否かを判定し、危険運転の未然防止を図るアルコール検出装置に関するものである。
【背景技術】
【０００２】
近年、飲酒運転による相次ぐ事故が社会的に大きな問題となっており、飲酒運転の違反者に対する厳罰化、取り締まりの強化が行われているが、装置を使って飲酒運転を防止する有効な技術として、自動車の運転者の呼気に含まれるアルコール成分を検出し、一定濃度以上のアルコール成分が検出された場合には、エンジンがかからないように制御するアルコール検出装置が注目されている。
【０００３】
従来のアルコール検出装置として、例えば特許文献１に記載されたものがある。フロントガラス内側の中央部に設けたインナーミラーに運転者の呼気中に含まれるアルコール成分を検出するアルコールセンサを内蔵し、前記アルコールセンサの検出により得られたセンサ出力をインナーミラーに取付けたコントローラに入力して、アルコール濃度測定値が規定値以上か以下かを判定し、アルコール濃度測定値が規定値以上であると判定された場合は、前記コントローラがインナーミラーの外部に接続された警報手段に警報音声信号または表示信号を出力して、運転者に音声または表示手段により酒気帯び状態であることを警告すると共に、前記信号に対し一定の時間的遅れをもってエンジンのイグニッションスイッチの開路信号を出力して、エンジンを停止させて事故を未然に防止するアルコール検出装置である。
【０００４】
【特許文献１】実開平６−６７１８６号公報
【発明の開示】
【発明が解決しようとする課題】
【０００５】
特許文献１の装置は、フロントガラス内側の中央に設けたインナーミラーにアルコールセンサを内蔵させたことで、運転の支障にならない位置でアルコール検出を行うことができるという利点があるが、運転者の口元とインナーミラー内にあるアルコールセンサとの間には距離ができてしまい、検出されるアルコール濃度測定値に誤差が生じる可能性がある。
【０００６】
また、運転者の酒気状態を警告する警報手段は、インナーミラーの外部でコントローラと接続されており、インナーミラーの外部に警報手段を設置するためのスペースを確保する必要がある。
【０００７】
本発明は、上述した課題を解決するためになされたものであり、車室内にアルコール検出装置を設置するスペースを節約することができ、運転者の呼気中に含まれるアルコール成分を確実に検出して、飲酒運転を未然に防止することができるアルコール検出装置を提供することを目的とする。
【課題を解決するための手段】
【０００８】
上記課題を解決するために、請求項１に記載のアルコール検出装置において、呼気中に含まれるアルコール成分を検出するアルコール検出手段と、前記アルコール検出手段の出力信号に基づいてエンジンの制御を行う制御手段と、前記アルコール検出手段がアルコール成分を検出した際に、音声または表示手段により運転者に警告をする警報手段とを有するアルコール検出装置であって、前記アルコール検出装置が、サングラス等を収納する収納部を備えるオーバーヘッドコンソールに組み込まれ、運転者が自動車に乗り込み座席に着座した際、前記アルコール検出手段が前記オーバーヘッドコンソールから運転者の口元付近に下降することを特徴とする。
【０００９】
また、請求項２に記載のアルコール検出装置おいては、シートには、前後方向のスライド位置を検出するシート位置検出手段が備えられており、前記シート位置検出手段の検出結果に基づいて運転者の体格を判定し、判定された運転者の体格に応じて、前記アルコール検出手段の下降量を調整できることを特徴とする。
【００１０】
さらに、請求項３に記載のアルコール検出装置においては、前記オーバーヘッドコンソールの下面部の裏側にモーターを配設し、前記モーターと回転自在に連結された連結部を有するロッドが設けられ、前記ロッドの端部には前記アルコール検出手段を備え、前記モーターの駆動により前記ロッドの端部が、連結部を回転中心として天井側から下方に向けて回転し、前記アルコール検出手段が運転者の口元付近に下降できることを特徴とする。
【発明の効果】
【００１１】
請求項１の発明では、呼気中に含まれるアルコール成分を検出するアルコール検出手段と、アルコール検出手段の出力信号に信号に基づいてエンジンの制御を行う制御手段と、音声または表示手段により運転者に警告をする警報手段とを有するアルコール検出装置をオーバーヘッドコンソールに組み込むことで、車室内にアルコール検出装置を設置するスペースを節約することができる。
【００１２】
また、運転者が自動車に乗り込み座席に着座して、アルコールのチェックを行う際に、アルコール検出手段がオーバーヘッドコンソールから運転者の口元付近に下降するようになっており、アルコールのチェックを行っていないときは、アルコール検出手段がオーバーヘッドコンソールに格納され、運転者の邪魔になることはない。
【００１３】
請求項２の発明では、シートに備えたシート位置検出手段が、シートの前後方向のスライド位置を検出し、その検出したスライド位置から運転者の体格を判定し、判定結果に応じてアルコール検出手段の下降量を調整するので、運転者の口元とアルコール検出手段との間の距離がより近くなり、確実なアルコール濃度の測定を行うことができる。
【００１４】
請求項３の発明では、オーバーヘッドコンソール装置の下面部の裏側にモーターを配設し、モーターと回転自在に連結させた連結部を有するロッドが設けられ、そのロッドの端部にはアルコール検出手段が備えられており、モーターを駆動させることで、ロッドの端部が天井側から下面に向けて回転し、アルコール検出手段を運転者の口元付近の高さ位置と前後位置に下降させることができる。
【発明を実施するための最良の形態】
【００１５】
本発明の一実施形態について図１から図８を参照して説明する。
【００１６】
図１は本発明の一実施形態に係る車室内の模式図、図２はアルコール検出装置を組み込んだオーバーヘッドコンソール１の斜視図、図３はロッド１０の下降時におけるオーバーヘッドコンソール１の斜視図、図４はロッド１０を角度Ａだけ回転させたときの車室内の模式図、図５はロッド１０を角度Ｂだけ回転させたときの車室内の模式図、図６はオーバーヘッドコンソール１の下面部の裏側の斜視図、図７はロッドの先端部の拡大図である。また、図８は本発明装置の動作を説明するフローチャートである。
【００１７】
図１に示すように、車室天井部には後述するコントローラ８（制御手段）と、音声を出力するスピーカー９（警報手段）と、後述するロッド１０とを備えたアルコール検出装置を組込んだオーバーヘッドコンソール１が設置され、ドアにはドアの開閉状態を検出するドア検出センサ２が設置され、シートベルトにはシートベルトの装着状態を検出するシートベルト検出センサ３が設置され、シートの前後位置を調整するスライドレール１９には、シートの前後方向のスライド位置を検出するシートポジションセンサ４が設置されている。
【００１８】
オーバーヘッドコンソール１は、図２に示すように、前方（車両の進行方向）に車室内を照明する２つのマップランプ５、５と、そのマップランプ５、５の後方にマップランプ５、５のＯＮ/ＯＦＦを切り換えるスイッチ６，６と、そのスイッチ６、６の後方にサングラス等を収納するサングラスホルダー７が配設されている。サングラスホルダー７の後方にあるスペースには、各種センサと接続され、アルコール検出装置全体の作動を制御するコントローラ８と、音声を出力するスピーカー９が内蔵されており、また前記サングラスホルダー７とコントローラ８とスピーカー９が取付けられている側方のスペースには、ロッド１０が配設されている。
【００１９】
ロッド１０の先端部には、運転者の呼気中に含まれるアルコール成分を検出するアルコール検出センサ１７が配設され、他方の端部はオーバーヘッドコンソール１の下面部の裏側に配設された後述するモーター１２と回転自在に連結されている。運転者が自動車の発進時にアルコールをチェックする際、モーター１２が駆動して、図３に示すように、ロッド１０の先端部が、オーバーヘッドコンソール１の下面から下方に向けて回転して下降する。
【００２０】
ここで、シートポジションセンサ４がシートの前後方向のスライド位置を検出し、コントローラ８が検出されたシートのスライド位置から運転者の体格が小柄であるか大柄であるかを判定し、判定された運転者の体格に応じて、ロッド１０の先端部の下降量を調整する。
例えば、図４に示すように、シートのスライド位置が前方（車両の進行方向）にある場合は、運転者が小柄であると判定し、ロッド１０を角度Ａだけ前方に回転させ、ロッド１０の先端部が運転者の口元付近の高さ位置と前後位置に来るように調整する。一方、図５に示すように、シートのスライド位置が後方にある場合は、運転者が大柄であると判定し、ロッド１０を角度Ａより小さい角度Ｂだけ前方に回転させ、ロッド１０の先端部が運転者の口元付近の高さ位置と前後位置に来るように調整する。
【００２１】
アルコールのチェックが完了した際は、ロッド１０の先端部が後方に回転して、図２に示すように、再びオーバーヘッドコンソール１の溝内１１に格納される。
【００２２】
オーバーヘッドコンソール１下面部の裏側には、図６に示すように、ロッド１０を駆動させるモーター１２と、ロッド１０の下降の位置決めをするマイクロＳＷ１３と、運転者からの呼気の有無を検出する呼気検出センサ１４が配設されている。運転者が自動車の発進時にアルコールをチェックする際、モーター１２がコントローラ８の出力信号により駆動して、ロッド１０が前方に回転して下降するが、ロッド１０が所定の位置まで下降したときに、マイクロＳＷ１３が、モーター１２を駆動させる制御回路の接点を開放させて、モーター１２の駆動を止め、ロッド１０の位置決めをする。
【００２３】
ロッド１０の先端部には、図７に示すように、アルコール検出センサ１７の他に運転者が息を吹き込むための吹き込み口１６と、警告時に点滅するＬＥＤランプ１８が配設されている。吹き込み口１６は、チューブ１５の一端とつながれ、チューブ１５の他端はオーバーヘッドコンソール１下面部の裏側に設置された運転者からの呼気の有無を検出する呼気検出センサ１４とつながれており、運転者が吹き込み口１６に息を吹き込むことで、その呼気がチューブ１５を伝って、呼気検出センサ１４で検出される。呼気検出センサ１４の検出による出力信号から、コントローラ８が呼気有りと判定した場合に、アルコール検出センサ１７によるアルコールのチェックが開始される。
【００２４】
アルコールのチェックの際、アルコール検出センサ１７の検出による出力信号に基づいて、コントローラ８が呼気中に含まれるアルコール濃度を算出し、算出されたアルコール濃度が規定値以上か以下かを判定し、規定値以下であると判定した場合は、アルコールが検知されなかったとして、スピーカー９から音声を出力して運転者に知らせ、そのままエンジンの始動を許可する。一方、規定値以上であると判定した場合には、アルコールが検知されたとして、スピーカー９から音声を出力して運転者に知らせ、エンジンを始動できないように制御する。
【００２５】
また、自動車の走行中においても、アルコールのチェックが行われ、アルコール検出センサ１７を備えたロッド１０は、オーバーヘッドコンソール１の溝内１１に格納された状態であるが、運転者の天井に舞い上がった息に含まれるアルコール成分を検出する。アルコール検出センサ１７の検出による出力信号に基づいて、コントローラ８がアルコール濃度を算出し、アルコール濃度が規定値以下であると判定した場合は、そのまま自動車を走行させて、アルコールのチェックが続けられるが、規定値以上であると判定した場合には、ロッド１０を下降させ、ロッド１０の先端部に配設したＬＥＤランプ１８を点滅させて、運転者に警告をする装置である。
【００２６】
次に本実施例の動作を図８のフローチャートを用いて説明する。
【００２７】
運転者が自動車に乗り込みイグニッションスイッチをＯＮにすると、まずはエンジンの始動を許可しない処理（Ｓ０１）に進み、次にドアの開閉状態を判定する処理（Ｓ０２）に進む。
【００２８】
（Ｓ０２）処理において、ドアに設置されたドア検出センサ２の検出による出力信号から、コントローラ８がドアは閉まっていると判定した場合、次のシートベルトが装着状態を判定する処理（Ｓ０３）に進む。一方、ドアが開いていると判定した場合は、エンジンの始動を許可しない処理（Ｓ０１）に戻る。
【００２９】
（Ｓ０３）処理において、シートベルトに設置されたシートベルト検出センサ３の検出による出力信号から、コントローラ８がシートベルトは装着されていると判定した場合、次のシートのスライド位置から運転者の体格を判定する処理（Ｓ０４）に進む。一方、シートベルトが装着されていないと判定した場合には、最初のエンジンを始動させない処理（Ｓ０１）に戻る。
【００３０】
（Ｓ０２）〜（Ｓ０３）処理過程により、運転者は自動車に乗り込み、運転席に着座していることが確認される。
【００３１】
（Ｓ０４）処理において、シートポジションセンサ（ＳＰＳ）４がシートの前後方向のスライド位置を検出し、検出されたシートのスライド位置から運転者の体格を判定する。検出されたスライド位置が前方（車両の進行方向）にある場合は、コントローラ８が運転者の体格は小柄であると判定し、ロッド１０の先端部が小柄の人の口元にくるように、最下端位置まで下降させる処理（Ｓ０５）をする。一方、シートのスライド位置が後方にある場合には、運転者の体格は大柄であると判定し、ロッド１０の先端部の下降量を抑える処理（Ｓ０６）をする。こうして、ロッド１０の先端部が、運転者の口元付近にくると、オーバーヘッドコンソール１に内蔵されたスピーカー９から音声が出力され、息を吹きかける準備が整ったことを運転者に知らせる（Ｓ０７）。
【００３２】
（Ｓ０４）〜（Ｓ０７）処理過程により、運転者が息を吹きかける準備が整った後、次に運転者の呼気の有無を判定する処理（Ｓ０８）に進む。
【００３３】
（Ｓ０８）処理において、運転者の呼気がロッド１０の吹き込み口１６からチューブ１５を伝って呼気検出センサ１４で検出される。呼気検出センサ１４の検出による出力信号から、コントローラ８が呼気有りと判定した場合は、次の呼気中に含まれるアルコール成分の濃度が規定値以上か以下かを判定する処理（Ｓ０９）に進む。一方、呼気無しと判定した場合には、（Ｓ０７）処理に戻り、呼気有りと判定されるまで、（Ｓ０７）〜（Ｓ０８）処理が繰り返され、アルコール検出センサ１７によるアルコールのチェックが開始されない。
【００３４】
（Ｓ０９）処理において、ロッド１０に取付けられたアルコール検出センサ１７が運転者の呼気中に含まれるアルコール成分を検出し、アルコール検出センサ１７の検出による出力信号から、コントローラ８が呼気中に含まれるアルコール成分は一定濃度以上か以下かを判定する。
【００３５】
アルコール成分の濃度が規定値以下である判定した場合は、アルコールが検知されなかったとして、スピーカー９から音声を出力して運転者に知らせ（Ｓ１０）、その後ロッド１０は上昇して、オーバーヘッドコンソール１の溝内１１に格納され（Ｓ１１）、エンジンの始動を許可し、自動車を発進できるようになる（Ｓ１２）。一方、アルコール成分の濃度が規定値以上である判定した場合には、アルコールが検知されたとして、スピーカー９から音声を出力して運転者に知らせ（Ｓ１７）、エンジンは始動させず、次にドアの開閉状態を判定する処理（Ｓ１８）に進む。
【００３６】
（Ｓ１８）処理において、ドアが開いていると判定した場合、次のシートベルトの装着を判定する（Ｓ１９）処理に進む。一方、ドアが閉じたままであると判定された場合は、（Ｓ１７）処理に戻る。
【００３７】
（Ｓ１９）処理において、シートベルトが外されたと判定した場合、最初の（Ｓ０１）処理に戻り、エンジンの始動が不許可となる。一方、シートベルトが装着されたままであると判定された場合、（Ｓ１７）処理に戻る。運転者がシートベルトを外し、ドアを開けて車外に降りるまでは、（Ｓ１７）〜（Ｓ１９）処理が繰り返される。
【００３８】
前の（Ｓ１２）処理でエンジンの始動が許可され、自動車を走行中させている際も、オーバーヘッドコンソール１にロッド１０が格納された状態のまま、走行中に天井に舞い上がった運転者の息からアルコール成分の有無を判定する処理（Ｓ１３）を行う。ここでは、呼気有無の判定に関係なく、空気中に含まれるアルコール成分の濃度の測定が行われる。
【００３９】
（Ｓ１３）処理において、アルコール検出センサ１７の検出による出力信号から、コントローラ８がアルコール成分の濃度が規定値以下であると判定した場合、次にドアの開閉状態を判定する処理（Ｓ１４）に進む。
【００４０】
（Ｓ１４）処理において、ドア検出センサ２の検出による出力信号から、コントローラ８がドアは閉まっていると判定した場合、アルコール濃度が規定値以上か以下かを判定する処理（Ｓ１３）に戻る。一方、ドアが開いている判定した場合には、次にシートベルトの装着状態を判定する処理（Ｓ１５）に進む。
【００４１】
（Ｓ１５）処理において、シートベルト検出センサ３の検出による出力信号から、コントローラ８がシートベルトは装着されていると判定した場合、（Ｓ１３）処理に戻る。一方、シートベルトが装着されていないと判定した場合には、次にイグニッションスイッチがＯＮであるかを判定する処理（Ｓ１６）に進む。
【００４２】
（Ｓ１６）処理において、イグニッションスイッチがＯＮであると判定した場合、（Ｓ１３）処理に戻り、イグニッションスイッチをＯＦＦである場合には、動作を終了する。自動車の走行中は、（Ｓ１３）〜（Ｓ１６）処理が繰り返され、常にアルコール成分のチェックをされている状態となり、イグニッションスイッチをＯＦＦにして、車外に降りるまで続けられる。
【００４３】
前の（Ｓ１３）処理において、コントローラ８がアルコール濃度は規定値以上であると判定した場合は、次の運転者の体格を判定する処理（Ｓ２０）に進む。
【００４４】
（Ｓ２０）処理において、シートポジションセンサ４の検出により、コントローラ８が運転者の体格は小柄であると判定した場合、ロッド１０の先端部を最下端位置まで下降させる処理（Ｓ２１）をする。一方、運転者の体格は大柄であると判定された場合は、ロッド１０の先端部の下降量を抑える処理（Ｓ２２）をする。
【００４５】
（Ｓ２１）、（Ｓ２２）処理の後、次にロッド１０の先端部に配設したＬＥＤランプ１８を点滅させて、運転者にアルコールが検出されたことを警告する（Ｓ２３）。（Ｓ２３）処理の後、次にドアの開閉状態を判定する処理（Ｓ２４）に進む。
【００４６】
（Ｓ２４）処理において、ドア検出センサ２の検出による出力信号から、コントローラ８がドアは開いていると判定した場合は、次のシートベルトの装着状態を判定する（Ｓ２５）処理に進む。一方、ドアが閉まっていると判定した場合には、（Ｓ２３）処理に戻る。
【００４７】
（Ｓ２５）処理において、シートベルト検出センサ３の出力信号により、コントローラ８がシートベルトは装着されていないと判定した場合は、最初の（Ｓ０１）処理に戻り、エンジンの始動が不許可となる。一方、シートベルトが装着されていると判定した場合には、（Ｓ２３）処理に戻る。運転者がシートベルトを外し、車外に降りない限りは、（Ｓ２３）〜（Ｓ２５）処理が繰り返され、ＬＥＤランプが点滅し続ける。
【００４８】
以上に説明したように、本発明におけるアルコール検出装置は、車室天井部のフロント側に設置されたオーバーヘッドコンソール１に、アルコール検出センサ１７を備えたロッド１０と、アルコール検出装置の作動を制御するコントローラ８と、音声を出力するスピーカー９を有するアルコール検出装置を内蔵させる。
【００４９】
自動車の発進時には、ロッド１０の先端部が運転者の口元付近に下降し、運転者がロッド１０の吹き込み口１６に息を吹きかけて、呼気有りと判定されればアルコールのチェックが開始される。ここで、コントローラ８が呼気中に含まれるアルコール濃度が規定値以上であると判定した場合、エンジンを始動できないように制御する。
【００５０】
また自動車の走行中においても、ロッド１０がオーバーヘッドコンソール１の溝内１１に格納された状態のまま、呼気有無の判定に関わらず、天井に舞い上がった運転者の呼気中に含まれるアルコールのチェックする。コントローラ８がアルコール濃度は規定値以上であると判定した場合、ロッド１０を下降させ、先端部に配設したＬＥＤランプ１８を点滅させて、運転者にアルコールが検出されたことを警告する装置である。
【図面の簡単な説明】
【００５１】
【図１】本発明の実施形態を示す車室内の模式図である。
【図２】アルコール検出装置を組み込んだオーバーヘッドコンソール１の斜視図である。
【図３】ロッド１０の下降時におけるオーバーヘッドコンソール１の斜視図である。
【図４】ロッド１０を角度Ａだけ回転させたときの車室内の模式図である。
【図５】ロッド１０を角度Ｂだけ回転させたときの車室内の模式図である。
【図６】オーバーヘッドコンソール１の下面部の裏側の斜視図である。
【図７】図３のオーバーヘッドコンソール１のＡ部における拡大図である。
【図８】本発明の実施形態に係るアルコール検出装置の動作を表すフローチャートである。
【符号の説明】
【００５２】
１  オーバーヘッドコンソール
２  ドア検出センサ
３  シートベルト検出センサ
４  シートポジションセンサ
５  マップランプ
６  スイッチ
７  サングラスホルダー
８  ＥＣＵ
９  スピーカー
１０  ロッド
１１  溝
１２  モーター
１３  呼気検出センサ
１４  チューブ
１５  マイクロＳＷ
１６  吹き込み口
１７  アルコール検出センサ
１８  ＬＥＤランプ
１９  スライドレール
【図１】
2008285053.tif 000003
【図２】
2008285053.tif 000004
【図３】
2008285053.tif 000005
【図４】
2008285053.tif 000006
【図５】
2008285053.tif 000007
【図６】
2008285053.tif 000008
【図７】
2008285053.tif 000009
【図８】
2008285053.tif 000010